【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
非金属材料からなる一対の爪部材（２ａ，２ｂ）と、
前記爪部材同士を関節接合する手段（３）とを備える動脈瘤用クリップ（１）であって、
前記関節接合する手段は、前記一対の爪部材を連結する回動ピボット（４）の周りでの前記一対の爪部材の回動を可能にし、力桿（５ａ）および作用桿（５ｂ）が各爪部材上で分けられ、
前記クリップ（１）は、少なくとも、
前記爪部材同士の前記作用桿（５ｂ）が互いに離間される開放状態（Ａ）と、
前記爪部材同士の前記作用桿（５ｂ）が互いに当接される閉鎖状態（Ｂ）とを採ることができるように構成され、
前記クリップ（１）には前記クリップ（１）を前記閉鎖状態に配置するように屈曲する少なくとも１つのバネ要素（６）が設けられ、
前記少なくとも１つのバネ要素（６）は、前記クリップ（１）に少なくとも部分的に収容され、円弧形状部（８）を有する部分を有する弾性の可撓性要素（７）を備え、
前記可撓性要素は、前記開放状態および前記閉鎖状態の両方において、２つの互いに反対側の端部（９ａ，９ｂ）が、それぞれ、別の爪部材に圧力を加えて圧入されていることを特徴とする、クリップ（１）。
【請求項２】
前記少なくとも１つのバネ要素（６）が、前記クリップ（１）に完全に収容されることを特徴とする、請求項１に記載のクリップ（１）。
【請求項３】
前記可撓性要素（７）は、優弧ではない円弧状、すなわち、その曲線が中心角１８０°を超えない円弧状を有することを特徴とする、請求項１または２に記載のクリップ（１）。
【請求項４】
前記可撓性要素（７）は長方形であり、前記可撓性要素（７）の前記互いに反対側の端部（９ａ，９ｂ）が別々の爪部材上に保持されることを特徴とする、請求項１〜３のいずれか１項に記載のクリップ（１）。
【請求項５】
前記可撓性要素（７）は薄板状であることを特徴とする、請求項１〜４のいずれか１項に記載のクリップ（１）。
【請求項６】
前記可撓性要素（７）の厚さ（ｅ）、クランプ面の長さ（ｂ）、および前記可撓性要素（７）を形成する材料の弾性係数（Ｅ）は、次式を用いて関連付けられ、
【数１】
2018500134.tif 000001
ここで、（β）は値７．５を有する幾何学的因子であることを特徴とする、請求項５に記載のクリップ（１）。
【請求項７】
前記可撓性要素（７）の幅（ａ）が前記可撓性要素の厚さ（ｅ）の５〜１０倍であり、前記閉鎖状態（Ｂ）における前記可撓性要素の弧の弦長（ｌ）がその厚さの２０〜６０倍であることを特徴とする、請求項１〜６のいずれか１項に記載のクリップ（１）。
【請求項８】
前記可撓性要素（７）の厚さ（ｅ）が０．０５〜０．５ミリメートルであり、前記可撓性要素（７）の幅（ａ）が２ミリメートル未満であり、前記閉鎖状態（Ｂ）にある前記可撓性要素（ｌ）の弧の弦長が４〜１２ミリメートルであることを特徴とする、請求項１〜７のいずれか１項に記載のクリップ（１）。
【請求項９】
前記可撓性要素（７）の支持点と前記回動ピボット（４）の中心との間の半径（ｒ）は、０．５〜３ミリメートルであることを特徴とする、請求項１〜８のいずれか１項に記載のクリップ（１）。
【請求項１０】
前記バネ要素（６）は２つの可撓性要素（７）を備え、各可撓性要素（７）は対応する爪部材（２ａ，２ｂ）内に少なくとも部分的に配置され収容されることを特徴とする、請求項１〜９のいずれか１項に記載のクリップ（１）。
【請求項１１】
前記爪部材（２ａ，２ｂ）のそれぞれが単一片によって形成されることを特徴とする、請求項１〜１０のいずれか１項に記載のクリップ（１）。
【請求項１２】
互いに垂直で前記回動ピボット（４）の中心で交差する前記クリップ（１）の水平方向切断面（Ｈ）および垂直方向切断面（Ｆ）を考慮すると、前記可撓性要素（７）はそれぞれ、前記開放状態（Ａ）および前記閉鎖状態（Ｂ）の両方において同じ象限内に配置されることを特徴とする、請求項１〜１１のいずれか１項に記載のクリップ（１）。
【請求項１３】
前記爪部材（２ａ，２ｂ）の一方が出張り部（１０）を備え、前記可撓性要素（７）の前記互いに反対側の端部（９ａ，９ｂ）の一方が、前記出張り部の周縁の窪み部（１１）において保持されることを特徴とする、請求項１〜１２のいずれか１項に記載のクリップ（１）。
【請求項１４】
前記爪部材（２ａ，２ｂ）の少なくとも一方は、対応する可撓性要素（７）を受け入れ収容する溝部のように構成された開口部（１２）を備えることを特徴とする、請求項１〜１３のいずれか１項に記載のクリップ（１）。
【請求項１５】
前記開口部（１２）には、前記可撓性要素（７）の前記互いに反対側の端部（９ａ，９ｂ）の一方を保持するための縁部（１３）が設けられていることを特徴とする、請求項１４に記載のクリップ（１）。
【請求項１６】
前記爪部材（２ａ，２ｂ）には、互いに補完的であり、前記クリップ（１）の長手方向に対して直交する山と谷のような凸凹が設けられたクランプ面が設けられることを特徴とする、請求項１〜１５のいずれか１項に記載のクリップ（１）。
【請求項１７】
前記開口部（１２）には側方保持手段（１４）が設けられ、前記可撓性要素（７）が収容されている前記開口部から前記可撓性要素（７）が側方に突出することを防止することを特徴とする、請求項１４または１５を引用する請求項１６に記載のクリップ（１）。
【請求項１８】
前記可撓性要素（７）の導入のために前記爪部材（２ａ，２ｂ）同士の間に後部チャネル（１５）を備えることを特徴とする、請求項１〜１７のいずれか１項に記載のクリップ（１）。
【請求項１９】
前記爪部材（２ａ，２ｂ）の前記力桿（５ａ）は、前記開放状態（Ａ）において互いに当接され、前記閉鎖状態（Ｂ）において離間されるように適合された停止面（１６）を備えることを特徴とする、請求項１〜１８のいずれか１項に記載のクリップ（１）。
【請求項２０】
前記開放状態（Ａ）と前記閉鎖状態（Ｂ）の両方において、前記可撓性要素（７）の前記円弧形状部（８）を有する前記部分の各端部に接する直線の交差部分は、９０度より大きい角度を決定する、請求項１〜１９のいずれか１項に記載のクリップ（１）。
【請求項２１】
前記可撓性要素（７）の前記円弧形状部（８）を有する前記部分は、前記開放状態（Ａ）および前記閉鎖状態（Ｂ）の両方で同じ向きに凹みを有することを特徴とする、請求項１〜２０のいずれか１項に記載のクリップ（１）。
【請求項２２】
前記爪部材（２ａ，２ｂ）および前記バネ要素（６）の材料は、生体適合性であることを特徴とする、請求項１〜２１のいずれか１項に記載のクリップ（１）。
【請求項２３】
前記可撓性要素（７）は、連続炭素繊維を用いた材料を含むことを特徴とする、請求項１〜２２のいずれか１項に記載のクリップ（１）。
【請求項２４】
少なくとも１つの爪部材（２ａ，２ｂ）上にＸ線不透過性材料の装填物を含むことを特徴とする、請求項１〜２３のいずれか１項に記載のクリップ（１）。
【請求項２５】
前記Ｘ線不透過性材料の装填物は、前記少なくとも１つの爪部材（２ａ，２ｂ）上に均一に分配されることを特徴とする、請求項２４に記載のクリップ（１）。
【請求項２６】
Ｘ線不透過性材料を用いてマークされたマーク片を備えることを特徴とする、請求項１〜２５のいずれか１項に記載のクリップ（１）。
【請求項２７】
前記マーク片は、前記爪部材（２ａ，２ｂ）の少なくとも一方に埋め込まれた小球体を備えることを特徴とする、請求項２６に記載のクリップ（１）。
【請求項２８】
前記マーク片は、前記爪部材（２ａ，２ｂ）の少なくとも一方に埋め込まれた金属繊維を備えることを特徴とする、請求項２６に記載のクリップ（１）。
【請求項２９】
前記マーク片は、前記２つの爪部材（２ａ，２ｂ）の間に挿入されたワッシャーを備えることを特徴とする、請求項２６に記載のクリップ（１）。
【請求項３０】
前記マーク片は前記回動ピボット（４）であることを特徴とする、請求項２６に記載のクリップ（１）。
【請求項３１】
前記マーク片は、前記２つの爪部材（２ａ，２ｂ）のうち少なくとも一方の金属製はめ込みであることを特徴とする、請求項２６に記載のクリップ（１）。
【請求項３２】
目視をより容易にするために、側面凹部（１７）を両側に備えることを特徴とする、請求項１〜３１のいずれか１項に記載のクリップ（１）。
【請求項３３】
請求項１〜３２のいずれか１項に記載のクリップ（１）と前記クリップ（１）を関節接続するためのアプリケータ（１００）とによって形成されたキット（２００）であって、
前記クリップ（１）は、前記爪部材（２ａ，２ｂ）の前記力桿（５ａ）上に支持領域（１８）を備え、
前記アプリケータが前記支持領域に圧力を加えると前記クリップ（１）が前記閉鎖状態（Ｂ）から前記開放状態（Ａ）に回動するように、前記支持領域は、前記アプリケータ（１００）と協働するよう適合されることを特徴とする、キット（２００）。
【請求項３４】
前記クリップ（１）の前記支持領域（１８）の少なくとも一方はカップ部（１９）を備え、前記カップ部には、前記アプリケータ（１００）の本質的に半球形の端部（１０１）を受け入れるように適合された２つの平行平面（２０ａ，２０ｂ）が設けられ、前記アプリケータ（１００）には一組の平行平面（１０２）が設けられることを特徴とする、請求項３３に記載のキット（２００）。
【請求項３５】
前記クリップ（１）の前記カップ部（１９）の前記２つの平行平面（２０ａ，２０ｂ）の間の間隔は、前記アプリケータ（１００）の本質的に半球状の端部（１０１）の平行平面（１０２）の間の間隔よりも大きいことを特徴とする、請求項３４に記載のキット（２００）。